(57)【要約】【課題】個々の表示装置にそれぞれの情報を表示することが可能な計算機システムの艤装工数を削減する技術を提供する。【解決手段】鉄道列車の各車両に設置された複数の表示装置に情報を表示するための計算機システムであって、管理装置と、複数の計算機と、を有している。管理装置は、表示装置のそれぞれに情報を表示するための配信データを無線送信する。計算機は、複数の表示装置のそれぞれに対応して設けられ、管理装置から無線送信された配信データをバケツリレー方式で無線中継し、前段の装置から受信した配信データが自装置に対応する表示装置に表示すべき表示情報を含む自装置宛配信データであったら、その自装置宛配信データを取得し、その表示装置にその自装置宛配信データに基づく情報を表示させる。【選択図】図１
2015118600.tif 000002
【特許請求の範囲】
【請求項１】
鉄道列車の各車両に設置された複数の表示装置に情報を表示するための計算機システムであって、
前記表示装置のそれぞれに情報を表示するための配信データを無線送信する管理装置と、
複数の前記表示装置のそれぞれに対応して設けられ、前記管理装置から無線送信された配信データをバケツリレー方式で無線中継し、前段の装置から受信した配信データが自装置に対応する表示装置に表示すべき表示情報を含む自装置宛配信データであったら、当該自装置宛配信データを取得し、当該表示装置に当該自装置宛配信データに基づく情報を表示させる複数の計算機と、
を有する計算機システム。
【請求項２】
前記管理装置は、前記配信データを無線中継する前記複数の計算機の順序である中継順序に、前記表示装置のそれぞれに情報を表示するための配信データを配列したデータを送信し、
前記計算機は、前段の装置から受信した前記配信データのうち先頭の配信データが前記自装置宛配信データであることを確認してそれを取得し、前記自装置宛配信データを除く他の配信データを次段の計算機に送信する、
請求項１に記載の計算機システム。
【請求項３】
前記計算機は、前段の装置から前記配信データを受信すると、当該前段の装置に応答を送信し、
前記管理装置および前記計算機は、次段の計算機に前記配信データを送信したとき、当該次段の計算機から前記応答が受信されなければ、当該次段の計算機の更に次段の計算機に配信データを送信する、
請求項２に記載の計算機システム。
【請求項４】
前記管理装置および前記計算機は、前記次段の計算機に宛てた配信データを除去した他の配信データを、前記次段の計算機の更に次段の計算機に送信する、
請求項３に記載の計算機システム。
【請求項５】
前記計算機は、前段の装置から受信した前記配信データのうち先頭の配信データが前記自装置宛配信データでなければ、前記前段の装置から受信した全ての配信データを破棄する、請求項２に記載の計算機システム。
【請求項６】
前記管理装置は、複数車両からなる鉄道列車の先頭車両の先頭部または最後尾車両の最後部の近傍に設置され、
前記計算機は、前記管理装置から送信された配信データを、前記先頭車両から前記最後尾車両までまたは前記最後尾車両から前記先頭車両まで順次バケツリレー方式により、車両内および車両間を無線通信で中継する、
請求項１に記載の計算機システム。
【請求項７】
前記中継順序の情報を予め保持し、前記表示装置のそれぞれのための配信データを前記中継順序に配列して前記管理装置に送信する地上配信システムを更に有する、請求項２に記載の計算機システム。
【請求項８】
前記管理装置は、自装置が設置された車両を含む鉄道列車の編成および各車両内の表示装置の配置を前記地上配信システムに認識させるための情報を前記地上配信システムに送信し、
前記地上配信システムは、前記管理装置から受信した情報に基づき、鉄道列車の編成および各車両内の表示装置の配置を認識し、認識した前記編成および前記配置に基づき前記中継順序の情報を生成する、
請求項７に記載の計算機システム。
【請求項９】
鉄道列車の各車両に設置された複数の表示装置に情報を表示するための分散型の計算機システムに用いられ、複数の前記表示装置のそれぞれに対応して設けられる計算機であって、
前段の装置からの配信データを受信し、次段の装置への配信データを送信する通信部と、
前記通信部が前記前段の装置から受信した配信データが自装置に対応する表示装置に表示すべき表示情報を含む自装置宛配信データであったら、当該自装置宛配信データを取得し、当該表示装置に当該自装置宛配信データに基づく情報を表示させ、前記通信部が前記前段の装置から受信した配信データが前記自装置宛配信データでなければ、前記通信部に、前記次段の装置へと送信させる識別部と、
を有する計算機。
【請求項１０】
鉄道列車の各車両に設置された複数の表示装置に情報を表示するための計算機システムの制御方法であって、
複数の前記表示装置のそれぞれに対応して設けられた複数の計算機が、
前記表示装置のそれぞれに情報を表示するための配信データを無線送信する管理装置から送信された配信データをバケツリレー方式で無線中継し、
前段の装置から受信した配信データが自装置に対応する表示装置に表示すべき表示情報を含む自装置宛配信データであったら、当該自装置宛配信データを取得し、
当該表示装置に当該自装置宛配信データに基づく情報を表示させる、
計算機システムの制御方法。
【発明の詳細な説明】
【技術分野】
【０００１】
本発明は、鉄道車両内に設けられた複数の表示端末に情報を表示する技術に関する。
【背景技術】
【０００２】
近年、列車の客室内に設置した表示装置に地上側のシステムからの情報を表示する列車内情報表示システムが普及している。地上側のシステムで作成された案内情報を列車に配信し、列車の管理装置は、受信した情報を記憶媒体で蓄積し、各車両内に複数設置された表示装置に配信し、各表示装置が配信された情報を蓄積し、表示する。
【０００３】
列車内で表示する案内情報は、列車の運行などに関する情報の他に、企業や商品などの宣伝のための広告情報や、最新のニュースや天気予報などの情報など様々である。
【０００４】
また、より満足度の高いサービスを乗客に提供するために、同じ列車内あるいは同じ車両内でも個々の表示装置に異なる内容を表示する技術がある。例えば表示装置の設置位置に応じて、きめ細かく制御することで実現できる。この種の案内情報配信システムとして、例えば、特許文献１には、表示装置の設置位置を識別するための位置識別媒体が不要な鉄道車両向け分散型計算機システムが提案されている。このシステムは、位置識別媒体を用いずに各分散型計算機にそれぞれの設置位置に応じた表示を独立して実行させることができるだけでなく、通信のスループットを向上させることもできる。
【先行技術文献】
【特許文献】
【０００５】
【特許文献１】特開２０１３−７７９９６号公報
【発明の概要】
【発明が解決しようとする課題】
【０００６】
特許文献１の鉄道車両向け分散型計算機システムでは、管理装置から無線ＬＡＮアクセスポイントを介して分散型計算機に情報が配信される。しかし、各車両に設置される無線ＬＡＮアクセスポイントは管理装置あるいは他の無線ＬＡＮアクセスポイントと有線接続されるので、艤装作業に要する工数が大きくなっていた。
【０００７】
本発明は、上記に鑑みてなされたものであり、個々の表示装置にそれぞれの情報を表示することが可能な計算機システムの艤装工数を削減する技術を提供することを目的とする。
【課題を解決するための手段】
【０００８】
本発明の一態様による計算機システムは、鉄道列車の各車両に設置された複数の表示装置に情報を表示するための計算機システムであって、前記表示装置のそれぞれに情報を表示するための配信データを無線送信する管理装置と、複数の前記表示装置のそれぞれに対応して設けられ、前記管理装置から無線送信された配信データをバケツリレー方式で無線中継し、前段の装置から受信した配信データが自装置に対応する表示装置に表示すべき表示情報を含む自装置宛配信データであったら、当該自装置宛配信データを取得し、当該表示装置に当該自装置宛配信データに基づく情報を表示させる複数の計算機と、を有している。
【発明の効果】
【０００９】
これによれば、個々の表示装置に対応する各計算機が無線通信で配信データを送受信する構成なので、有線接続のための艤装工数を削減することができる。
【図面の簡単な説明】
【００１０】
【図１】本実施形態に係る分散型計算機システムの構成例を示すブロック図である。
【図２】車両に搭載される装置の構成と各ＰＣ４の通信順序および配置例とを示す図である。
【図３】ＰＣ４の構成例を示す機能ブロック図である。
【図４】管理装置３の構成例を示す機能ブロック図である。
【図５】管理装置３がＰＣ４に配信データ３２１を送信するまでの動作の流れを示すシーケンス図である。
【図６】各ＰＣ４が互いに無線接続し、配信データ３２１を中継する処理を説明するためのシーケンス図である。
【図７】車両内で配信データ３２１が中継される様子を示す図である。
【図８Ａ】ＰＣ位置情報データの一例を示す図である。
【図８Ｂ】案内情報データの一例を示す図である。
【図８Ｃ】地上配信システム１より配信される配信データの一例を示す図である。
【発明を実施するための形態】
【００１１】
本発明の実施形態について図面を参照して説明する。
【００１２】
＜鉄道車両向け分散型計算機システムの構成例および概略動作＞
【００１３】
図１は、本実施形態に係る分散型計算機システムの構成例を示すブロック図である。図１には、１号車からｎ号車の車両が連結されて編成される列車に複数の計算機が搭載される鉄道車両向けの分散型計算機システムの構成例が示されている。
【００１４】
本実施例の分散型計算機システムは、鉄道列車の各車両に設置された複数の表示装置（不図示）に情報を表示するためのシステムである。
【００１５】
図１において、破線の枠は列車を編成する車両を表している。列車の先頭車両には管理装置３と複数の分散型計算機（以下、ＰＣ（Ｐｅｒｓｏｎａｌ  Ｃｏｍｐｕｔｅｒ）と略記）４とが備えられている。先頭車両以外の車両には複数のＰＣ４が備えられている。
【００１６】
本例の分散型計算機システム２では、地上配信システム１から管理装置３に配信データを無線で配信し、管理装置３は受信した配信データを蓄積する。配信データは、表示装置のそれぞれに情報を表示するためのデータである。配信データは管理装置３からＰＣ４へ無線配信される。
【００１７】
各ＰＣ４は、無線ＬＡＮ方式による中継機能を備え、管理装置３から複数のＰＣ４へ、順次、バケツリレー方式で配信データを中継する。具体的には、ＰＣ４は、複数の表示装置のそれぞれに対応して設けられ、管理装置３から無線送信された配信データをバケツリレー方式で無線中継する。それと共に、各ＰＣ４は、前段の装置（管理装置３または他のＰＣ４）から受信した配信データが自装置に対応する表示装置に表示すべき表示情報（自装置宛配信データ）であったら、その自装置宛配信データを取得し、対応する表示装置にその自装置宛配信データに基づく情報を表示させる。これによれば、各ＰＣ４が無線通信で配信データを送受信する構成なので、有線接続のための艤装工数を削減することができる。
【００１８】
その際、管理装置３は、配信データを無線中継する複数のＰＣ４の順序である中継順序に、表示装置のそれぞれに情報を表示するための配信データを配列したデータを送信する。
【００１９】
ＰＣ４は、前段の装置から受信した配信データのうち先頭の配信データが自装置宛配信データであることを確認してそれを取得し、自装置宛配信データを除く他の配信データを次段のＰＣ４に送信する。これによれば、各ＰＣ４は、全ての配信データの宛先を調べなくても自装置宛配信データを容易に認識し、取得することができる。
【００２０】
また一例として、ＰＣ４は、前段の装置から配信データを受信すると、その前段の装置に応答を送信する。管理装置３およびＰＣ４は、次段のＰＣ４に配信データを送信したとき、次段のＰＣ４から応答が受信されなければ、その次段のＰＣ４の更に次段のＰＣ４に配信データを送信する。これによれば、バケツリレー方式の中継の途中に配信データを受信できないＰＣ４があった場合、そのＰＣ４を抜かしてそれよりも次段のＰＣ４に配信データを配信することができる。特許文献１に示された従来のシステムでは、無線ＬＡＮアクセスポイントが故障するとその無線ＬＡＮアクセスポイントに接続していた全ての分散型計算機が配信データを受信できなくなってしまっていた。つまり、１つの無線ＬＡＮアクセスポイントの故障が複数台の分散型計算機に波及するという問題があった。この点について、本実施形態のシステムでは、１つの無線装置の故障の影響が、広範囲の表示装置の情報表示に波及するのを防止することができる。
【００２１】
また、その際、管理装置３およびＰＣ４は、次段のＰＣ４に宛てた配信データを除去した他の配信データを、次段のＰＣ４の更に次段の計算機に送信する。これによれば、バケツリレー方式の途中に配信データを受信できないＰＣ４があり、そのＰＣ４を抜かして配信データが送信された場合、その更に次段のＰＣ４が受信する配信データは正常に中継された場合の配信データと同様に自装置宛配信データが先頭にあるので、正常時と同様の処理で配信データの取得および／または中継を行うことができる。
【００２２】
また、ＰＣ４は、前段の装置から受信した配信データのうち先頭の配信データが自装置宛配信データでなければ、前段の装置から受信した全ての配信データを破棄する。これによれば、ある装置から無線送信された配信データを本来受信すべきＰＣ４以外のＰＣ４が受信して中継してしまうことの無い、正しい順序でのバケツリレー方式の中継を、容易な判定処理により実現することができる。
【００２３】
また本例では、管理装置３は、複数車両からなる鉄道列車の先頭車両の先頭部（または最後尾車両の最後部）の近傍に設置されている。ＰＣ４は、管理装置３から送信された配信データを、先頭車両から最後尾車両まで（または最後尾車両から先頭車両まで）順次バケツリレー方式により、車両内および車両間を無線通信で中継する。これによれば、車両間含めて近距離の無線通信が実現でき、通信品質を良好に保つことができる。
【００２４】
また一例として、地上配信システム１は、中継順序の情報を予め保持し、表示装置のそれぞれのための配信データをその中継順序に配列して管理装置３に送信する。その場合、一例として、管理装置３は、自装置が設置された車両を含む鉄道列車の編成および各車両内の表示装置の配置を地上配信システム１に認識させるための情報を地上配信システム１に送信することにしてもよい。地上配信システム１は、管理装置３から受信した情報に基づき、鉄道列車の編成および各車両内の表示装置の配置を認識し、認識した編成および配置に基づき中継順序の情報を生成する。これによれば、地上配信システム１が鉄道列車に搭載された管理装置３からの情報に基づいてその鉄道列車内のＰＣ４の中継順序を生成するので、実際の列車編成および表示装置の配置に応じた中継順序の情報を容易に生成することができる。
【００２５】
具体的には、地上配信システム１から配信される配信データには、ＰＣ４のそれぞれに宛てた配信データが含まれ、各配信データには、宛先のＰＣ４を指定する情報（ＩＰアドレス）と、表示すべき表示情報（案内データ）とが含まれている。案内データは個々の表示装置にそれぞれ別個の表示内容を設定できる。ＰＣ４のそれぞれは、車両内に複数配設された表示装置のそれぞれに対応しており、自装置宛の配信データをＩＰアドレスから識別し、取り込んで表示装置に表示させる。
【００２６】
地上配信システム１では、各ＰＣ４の設置位置情報（ＰＣ＃）とＩＰアドレスが関連付けられたＰＣ位置情報データと、列車の編成情報と各ＰＣ４の設置位置情報（ＰＣ＃）と設置位置に応じた案内データとが関連付けられた案内情報データと、をもとに配信データが作成される。
【００２７】
図８Ａは、ＰＣ位置情報データの一例を示す図である。ＰＣ位置情報データは、各ＰＣ４の設置位置情報（ＰＣ＃）と、当該ＰＣ４のＩＰアドレスとを関連付けたデータである。図８Ｂは、案内情報データの一例を示す図である。案内情報データは、各列車の編成情報と、その列車の車両内に設置される各ＰＣ４の設置位置情報（ＰＣ＃）と、当該ＰＣ４に対応する表示装置４６に情報を表示するための案内データとを関連付けたデータである。ＰＣ位置情報データと案内情報データにあるＩＰアドレスは各ＰＣ４が位置情報媒体より取得するＩＰアドレスと一致する。ＰＣ位置情報データおよび案内情報データは地上配信システム１に保持され、管理される。
【００２８】
図８Ｃは、地上配信システム１より配信される配信データの一例を示す図である。配信データは、表示装置４６に情報を表示させるための案内データと、その案内データの情報を表示させる表示装置４６に対応するＰＣ４のＩＰアドレスとを対応づけたデータである。
【００２９】
地上配信システム１は、配信データを作成する列車の編成情報を選ぶことにより、編成情報におけるＰＣ４の設置位置情報（ＰＣ＃）の順序を決める。
【００３０】
編成情報から、列車の構成が、どのような車両がどのような順序で連結されたものかを知ることができ、さらに案内情報データからＰＣ＃の順序も知ることができる。地上配信システム１は、列車の編成と各ＰＣ４の設置位置に応じて、ＩＰアドレスと案内データを含む配信データを作成し、バケツリレー方式の中継順序に従って並べて送信する。具体的には、ＰＣ位置情報データにおいてＰＣ＃に対応するＩＰアドレスと、案内情報データにおいてＰＣ＃に対応する案内データとを対応付けてＰＣ＃の順序に並べることにより配信データを生成することができる。
【００３１】
配信データに含まれるＩＰアドレスは各ＰＣ４が位置情報媒体より取得するＩＰアドレスと一致しており、各ＰＣ４は、受信した配信データのＩＰアドレスを自身の位置情報媒体から取得したＩＰアドレスと比較することにより、自身宛の配信データであるか否かを識別することができる。
【００３２】
以下、より詳細な実施形態の構成および動作について説明する。
【００３３】
＜車両に搭載される装置の構成と通信順序および配置例＞
【００３４】
図２は、車両に搭載される装置の構成と各ＰＣ４の通信順序および配置例とを示す図である。本実施形態の列車はｎ両編成であり、各車両には８個のドアがあり、それぞれのドアの上部に２台の表示装置（不図示）があるとする。表示装置は例えばＬＥＤディスプレイあるいは液晶ディスプレイであり、それぞれの表示装置に１対１でＰＣ４が対応づけられ、表示装置の近傍にＰＣ４が設置されている。
【００３５】
図２の例では、１号車である車両５に、管理装置３と１６台のＰＣ４（ＰＣ＃１−１〜１−１６）とが設置され、他の車両５には、管理装置３は設置されず、１６台のＰＣ４のみが設置されている。
【００３６】
管理装置３から各ＰＣ４をバケツリレー方式で伝達される配信データは無線信号なので、ある前段の装置（管理装置３またはＰＣ４）から送信された信号は次段のＰＣ４以外のＰＣ４にも到達する。しかし、各ＰＣ４は、自装置の前段の装置から送信された配信データのみを受信する。また、各ＰＣ４は、受信した配信データ内の宛先のＩＰアドレスを参照し、自分宛に送信された配信データのみを取り込みするものとし、それ以外の宛先の配信データは取り込まずに中継し、次段のＰＣ４に送信する。また、ＰＣ４は、取り込んだ自身宛の配信データに基づく情報を表示装置に表示させる。
【００３７】
例えば、図２においてＰＣ＃１−２はＰＣ＃１−１から自分宛に配信された配信データのみを受信し、受信した配信データの自身のＩＰアドレスに関する案内データのみを取り込んで表示装置に表示させる。またそれと共に、ＰＣ＃１−２は、他ＰＣ４のＩＰアドレスを含む配信データをＰＣ＃１−３宛に送信（中継）する。なお、各ＰＣ４の設置位置とＩＰアドレスは地上配信システム１によって管理されているものとする。
【００３８】
本実施形態では、この構成を採用することで、無線ＬＡＮアクセスポイントを設置することなく、先頭車両の始点ＰＣ４（図２のＰＣ＃１−１）から最後尾車両の終点ＰＣ４（図２のＰＣ＃ｎ−１６）までバケツリレー方式で配信データを中継する無線ＬＡＮシステムを構築することが可能となっている。
【００３９】
さらに、構築された無線ＬＡＮシステムの途中にあるＰＣ４、例えば図２のＰＣ＃１−３が故障により通信（中継を含む）ができない状態となった場合、ＰＣ＃１−２は、配信データの送信先であるＰＣ＃１−３に配信データを送信しても、ＰＣ＃１−３からは受信通知（ＡＣＫ）を受信できない。その場合、ＰＣ＃１−２は、配信データの送信先をＰＣ＃１−３からＰＣ＃１−４に変更し、ＰＣ＃１−４宛に配信データを送信する。本実施形態では、このような処理を各ＰＣ４が行うことにより、始点ＰＣ４から終点ＰＣ４までの途中のＰＣ４が故障しても、それよりも下流にある全てのＰＣ４へ配信データを伝達できない状態になるのを防止している。
【００４０】
ここで各ＰＣ４が受信する配信データは、ＰＣ＃（ＰＣ番号）の若い順で並べられているものとする。各ＰＣ４は、配信データの並んだ順番を調べ、自身のＰＣ＃の次のＰＣ＃を送信先として決定する。
【００４１】
また、ＰＣ４は、受信した配信データに自装置のＩＰアドレスを宛先とする配信データ以外の配信データがなければ、自身が終点と判断し、自装置のＩＰアドレスを宛先とする配信データの案内データを取り込んで配信を終了する。
【００４２】
以上により、各ＰＣ４は自身のＩＰアドレス宛の配信データに含まれる案内データのみを表示装置に表示させることができ、その結果、各表示装置にはその設置位置に応じた表示内容が表示されることになる。
【００４３】
＜分散型計算機（ＰＣ４）の構成と機能＞
【００４４】
ここで、分散型計算機（ＰＣ４）の構成と機能について説明する。
【００４５】
図３は、ＰＣ４の構成例を示す機能ブロック図である。図３に示すように、ＰＣ４は、無線ＬＡＮ通信部兼管理部４２（以下「無線ＬＡＮ通信部」ともいう）、ＩＰアドレス設定部４４、位置情報取得部４３、および表示コンテンツ識別部４５を備える。
【００４６】
無線ＬＡＮ通信部４２は、バケツリレー方式による配信データ３２１の無線配信の前段の装置および次段の装置と接続される。
【００４７】
無線ＬＡＮ通信部４２は、バケツリレー方式の無線通信における前段の装置（管理装置３または他のＰＣ４）から配信データ３２１を受信し、受信した配信データ３２１を表示コンテンツ識別部４５へ引き渡す。その際、無線ＬＡＮ通信部３２４は、配信データ３２１を正常に受信したことを示す受信通知（以下「ＡＣＫ」とも記す）を前段の装置に送信する。
【００４８】
また、無線ＬＡＮ通信部４２は、受信した配信データ３２１のうち、自装置のＩＰアドレスを宛先とする配信データ３２１を取り込んで表示装置４６に表示させ、自装置とは異なるＩＰアドレスを宛先とする配信データ３２１を後段のＰＣ４へ送信する。
【００４９】
位置情報取得部４３は、自装置が設置された位置の情報を取得し、取得した位置情報をＩＰアドレス設定部４４に引き渡す。例えば、車両には各ＰＣ４が設置される位置の近傍に、車両および車両内の位置に応じた位置情報が記録されその位置情報を外部から取得可能な位置識別媒体が設置されており、位置情報取得部４３が位置識別媒体から位置情報を取得することにしてもよい。位置識別媒体は、例えば位置情報を無線信号で出力するＲＦＩＤタグであってよい。ＲＦＩＤには、各車両に付与される固有の車両番号と、車両内での設置位置を示す情報とを記録しておくとよい。
【００５０】
ＩＰアドレス設定部４４は、位置情報取得部４３から取得した位置情報に示された車両および車両内の位置に対応する固有のＩＰアドレスを自装置のＩＰアドレスとして設定する。設定されたＩＰアドレスは表示コンテンツ識別部４５へ引き渡される。なお、ＩＰアドレスの値と車両および車両内の位置との対応関係を予め定め、その対応関係の情報を地上配信システム１が保持しておけば、地上配信システム１は、ＩＰアドレスの値からＰＣ４が設置されている車両および車両内の位置を容易に判別できる。
【００５１】
表示コンテンツ識別部４５は、ＩＰアドレス設定部４４から引き渡されたＩＰアドレスを保持している。そして、無線ＬＡＮ通信部４２から配信データ３２１が引き渡されると、表示コンテンツ識別部４５は、配信データ３２１に宛先として含まれているＩＰアドレスと、保持しておいたＩＰアドレスとを比較し、一致した場合にその配信データ３２１を取り込んで表示装置４６に表示させる。また、表示コンテンツ識別部４５は、宛先として含まれているＩＰアドレスが保持しているＩＰアドレスと一致しなかった配信データ３２１を無線ＬＡＮ通信部４２に返送する。この、自装置宛の配信データ３２１だけを取り込み、次段のＰＣ４へ送信するバケツリレー方式の無線通信は、例えば、無線ＬＡＮの動作モードの一つであるアドホックモードであり、一般的な無線ＬＡＮ通信装置の標準機能として備えられている。
【００５２】
表示装置４６は、表示コンテンツ識別部４５より引き渡された配信データ３２１を表示させる。
【００５３】
＜管理装置３の構成と機能＞
【００５４】
ここで、列車の先頭車両に設置される管理装置３の構成と機能について説明する。
【００５５】
図４は、管理装置３の構成例を示す機能ブロック図である。図４に示すように、管理装置３は、無線ＬＡＮ送受信部３１、配信データ蓄積部３２、配信データ管理部３３、および管理装置番号通知部３４を備える。
【００５６】
無線ＬＡＮ送受信部３１は、地上配信システム１から配信データ３２１を無線受信し、それぞれ配信データ蓄積部３２に記録する。また、無線ＬＡＮ送受信部３１は、先頭車両の管理装置３近傍に設置された無線ＬＡＮの始点となるＰＣ４（例えば図２のＰＣ＃１−１）に、配信データ管理部３３より引き渡された配信データ３２１を無線送信する。さらに、無線ＬＡＮ送受信部３１は、管理装置番号通知部３４から引き渡された管理装置番号を地上配信システム１に送信する。管理装置番号は、管理装置３を識別する固有の識別番号である。管理装置番号と列車編成情報との対応関係を示す情報が地上配信システム１にて管理されている。地上配信システム１は、受信した管理装置番号から列車編成情報を特定することができる。
【００５７】
配信データ管理部３３は、配信データ蓄積部３２からの配信データ３２１の読み出し、その配信データ３２１を無線ＬＡＮ送受信部３１へ引き渡す。配信データ３２１は、宛先とするＰＣ４のＩＰアドレスと、当該ＰＣ４に対応する表示装置４６に表示すべき案内データとを含んでいる。
【００５８】
管理装置番号通知部３４は、自装置に固有の管理装置番号を保持しており、その管理装置番号を無線ＬＡＮ送受信部３１へ引き渡す。
【００５９】
＜地上配信システム１−管理装置３−ＰＣ４の配信データ処理＞
【００６０】
地上配信システム１と管理装置３とＰＣ４が表示装置４６に情報を表示するための動作について詳しく説明する。
【００６１】
図５は、管理装置３がＰＣ４に配信データ３２１を送信するまでの動作の流れを示すシーケンス図である。
【００６２】
まず、列車の電源が投入され、各種装置に電源が供給されると、管理装置３は自身の管理装置番号を地上配信システム１に通知すると共に、配信データ３２１を地上配信システム１に要求する（ステップＳ３１）。なお、管理装置番号は各列車の先頭車両に搭載される各管理装置３に割当てられる固有の番号であり、それぞれの管理装置番号に対応した列車編成情報が地上配信システム１で管理されているものとする。
【００６３】
管理装置３から配信データ要求を受けた地上配信システム１は、当該列車の編成に関連した各ＰＣ４の位置情報（ＰＣ＃）とＩＰアドレスをもとに作成した配信データ３２１を管理装置３へ無線送信する（ステップＳ１１）。
【００６４】
その配信データ３２１を受信した管理装置３は、自身の配信データ蓄積部３２へデータを蓄積する（ステップＳ３２）。配信データ蓄積部３２に配信データ３２１が蓄積されると、配信データ管理部３３は、ＰＣ４へ配信データ３２１を送信する配信データ３２１を配信データ蓄積部３２から読み出す（ステップ３３）。配信データ３２１を読み出した配信データ管理部３３は、その配信データ３２１を参照し、ＰＣ＃の一番若い番号のＰＣ４（例えばＰＣ＃１−１）に向けて配信データ３２１を送信する（ステップＳ３４）
【００６５】
一方、管理装置３の電源が投入されるのと同時期にＰＣ４の電源も投入される。電源が供給され始めたＰＣ４は、位置識別媒体から位置情報を取得し、自身が設置されている車両の車両番号と、列車における自身のＰＣ＃を判別する（ステップＳ４１）。また、ＰＣ４では、その位置情報から、ＩＰアドレス設定部４４が自装置に固有のＩＰアドレスを設定する（ステップＳ４２）。これによりＰＣ４は配信データ３２１を正常に受信できる状態となる。
【００６６】
そして、ＰＣ４は、管理装置３から配信データ３２１を受けると、自身が受信すべき配信データ３２１かどうかを確認し（ステップＳ４３）、自身が受信すべき配信データ３２１であれば受信し（ステップＳ４４）、そうでなければ受信せず、破棄する（ステップＳ４３ａ）。
【００６７】
管理装置３からの配信データ３２１を受信したＰＣ４は、受信に成功したことを通知するための受信通知（ＡＣＫ）を管理装置３に送信する（ステップＳ４５）。
【００６８】
また、ＰＣ４は、自身のＩＰアドレスと、配信データ３２１に含まれているＩＰアドレスとを比較することにより、自身が取り込むべき配信データ３２１を識別する（ステップＳ４６）。ＰＣ４は、自身のＩＰアドレスと配信データ３２１に含まれているＩＰアドレスとが一致したら、自身が取り込むべき配信データ３２１であると判断し、その配信データ３２１に含まれている案内データに基づく情報を表示装置４６に表示させる（ステップＳ４６１）。また、それと同時に、ＰＣ４は、ＩＰアドレスが自身のＩＰアドレスと一致しなかった配信データ３２１を、次段のＰＣ４に送信（中継）する（ステップＳ４７）。
【００６９】
以上、図５に示した一連の処理が列車の電源が投入されてから案内情報が表示までのシステムの処理フローである。
【００７０】
＜ＰＣ４の配信データ処理及び故障時処理＞
【００７１】
図６は、各ＰＣ４が互いに無線接続し、配信データ３２１を中継する処理を説明するためのシーケンス図である。なお、ここでは、図６に示すように、ＰＣ＃１−１〜ＰＣ＃１−３だけを例にとって説明するが、その内容は列車内の全てのＰＣ４に適用されるものである。
【００７２】
まず列車の電源が投入されると各ＰＣ４に電源が供給され、各ＰＣ４は位置識別媒体から自身が設置されている車両および車両内の位置に関する情報（位置情報）である車両番号及びＰＣ＃を取得する（ステップＳ７１）。位置情報を取得したＰＣ４は、取得した車両番号およびＰＣ＃に基づく固有のＩＰアドレスを自身の位置情報として設定する（ステップＳ７２）。
【００７３】
ここで、ＰＣ＃１−１は、管理装置３から配信データ３２１が配信されると、その配信データ３２１が自身の受信すべき配信データ３２１であるかどうかを確認し（ステップＳ７３）、自身が受信すべき配信データ３２１であれば受信する（ステップＳ７４）。一方、配信された配信データ３２１が自身の受信すべき配信データ３２１でなければ、ＰＣ４は、その配信データを受信しない（ステップＳ７３ａ）。
【００７４】
ＰＣ＃１−１は、自分宛の配信データ３２１を受信すると、受信に成功したことを通知するための受信通知（ＡＣＫ）を管理装置３に返す（ステップＳ７５）。ＡＣＫを返すと同時に、各ＰＣ＃１−１は、受信した配信データ３２１のうち、宛先のＩＰアドレスが自身のＩＰアドレスと一致する配信データ３２１に含まれている案内データの情報を表示装置４６に表示させる。
【００７５】
次にＰＣ＃１−１は、自身の次段のＰＣ４（ＰＣ＃１−２）を送信先として決定し（ステップＳ７６）、ステップＳ７４にて受信した配信データ３２１のうち自身のＩＰアドレスを宛先とする配信データ３２１を除いた他の配信データ３２１をＰＣ＃１−２に送信する（ステップＳ７７）。
【００７６】
さらに、ＰＣ＃１−１は、ＰＣ＃１−２よりＡＣＫが受信されたか否か確認し（ステップＳ７８）、受信していれば処理を完了とする。一方、ＰＣ４の故障等によりＡＣＫが返ってこなかった場合、ＰＣ＃１−１は、ステップＳ７６に戻り、図６にて破線の矢印で示すように、ＰＣ＃１−２の次段のＰＣ＃１−３を新たな送信先とし、配信データ３２１を送信する。なお、本実施形態では、各ＰＣ４が受信する配信データ３２１は、ＰＣ＃の若い順で並べられているので、ＰＣ４は、配信データ３２１が並べられている順番から、自身の次段のＰＣ４あるいは更にその次段のＰＣ４を決定することができる。
【００７７】
また、配信データ３２１のバケツリレー方式の中継の終点となるＰＣ４は、受信した配信データ３２１に自身のＩＰアドレス以外のデータがないこと、つまり自身が中継の終点であることを認識し、他のＰＣ４へ配信データ３２１を送信しない。
【００７８】
図７は、車両内で配信データ３２１が中継される様子を示す図である。図７では、斜線のハッチングが施されているＰＣ＃１−４、１−６は故障により通信不可となっているものとする。
【００７９】
また、破線上にＸが描かれた矢印は、それぞれ故障したＰＣ４が配信データ３２１を受信できなかったことを示している。実線の矢印は、それぞれのＰＣ４において配信データ３２１が正常に受信されたことを表している。
【００８０】
この図からも分かるように無線ＬＡＮの途中のＰＣ４が故障していたとしても、そのＰＣ４を飛ばしてバケツリレー方式の中継を継続することで、始点から終点まで配信データ３２１を到達させることが可能になっている。
【００８１】
上述した本発明の実施形態は、本発明の説明のための例示であり、本発明の範囲をそれらの実施形態にのみ限定する趣旨ではない。当業者は、本発明の要旨を逸脱することなしに、他の様々な態様で本発明を実施することができる。
【符号の説明】
【００８２】
１…地上配信システム、２…分散型計算機システム、３…管理装置、３１…無線ＬＡＮ送受信部、３２…配信データ蓄積部、３２１…配信データ、３２４…無線ＬＡＮ通信部、３３…配信データ管理部、３４…管理装置番号通知部、４…ＰＣ、４２…無線ＬＡＮ通信部兼管理部、４３…位置情報取得部、４４…ＩＰアドレス設定部、４５…表示コンテンツ識別部、４６…表示装置、５…車両
【図１】
2015118600.tif 000003
【図２】
2015118600.tif 000004
【図３】
2015118600.tif 000005
【図４】
2015118600.tif 000006
【図５】
2015118600.tif 000007
【図６】
2015118600.tif 000008
【図７】
2015118600.tif 000009
【図８Ａ】
2015118600.tif 000010
【図８Ｂ】
2015118600.tif 000011
【図８Ｃ】
2015118600.tif 000012